(57)【特許請求の範囲】
【請求項１】
建物壁面に設けられた開口部を開閉するシャッターカーテンと、
前記シャッターカーテンの開閉方向に延在し前記開閉方向に沿う両側のカーテン縁部を内方に配置して前記開口部の対向する開口内縁に固定され前記シャッターカーテンの開閉を案内する断面コ字状の一対のガイドレールと、
前記ガイドレールの長手方向に直交する方向に延在する帯材からなり前記シャッターカーテンの面から延出して両側の前記カーテン縁部に渡って設けられる帯状の翼部と、
前記ガイドレールの延在方向に直交する方向の前記翼部の延出先端縁部に設けられる係止突条部と、
前記係止突条部と係合する係合溝部が軸線方向に形成され前記係止突条部を前記係合溝部に挿入することで前記翼部に両側の前記カーテン縁部に渡って取り付けられる杆状部材と、
を具備することを特徴とするシャッターカーテンの構造。
【請求項２】
請求項１記載のシャッターカーテンの構造であって、
前記翼部が前記帯材を二重に重ねた二重翼部となって、前記二重翼部の前記延出先端縁部に前記係止突条部が設けられることを特徴とするシャッターカーテンの構造。
【請求項３】
請求項１または２記載のシャッターカーテンの構造であって、
前記係止突条部が、務歯列よりなることを特徴とするシャッターカーテンの構造。
【請求項４】
請求項１記載のシャッターカーテンの構造であって、
前記翼部は、幅方向の略中央で半分に折り重ねられた折り曲げ部が前記延出先端縁部となる二重翼部で形成され、
前記係止突条部は、両側の前記カーテン縁部に渡って延在する芯材を、前記折り曲げ部の内側に配置して形成されることを特徴とするシャッターカーテンの構造。
【発明の詳細な説明】
【技術分野】
【０００１】
本発明は、シャッターカーテンの構造に関する。
【背景技術】
【０００２】
例えばシートシャッターのシャッターカーテンであるシートカーテンには、風圧や気圧差によって、カーテン縁部がガイドレールから離脱しないように、ガイドレールの長手方向に直交する方向に延在して延在方向両端がガイドレールに挿入されるパイプ等の杆状部材を、開閉方向に所定間隔で備えるものがある（特許文献１，２，３，４等参照）。例えば特許文献２に開示される開閉体の構造において、シートカーテンは、上縁がシャッターケース内の巻取ドラムに連結される一枚仕立てのシート材で、上下方向である高さ方向の等間隔毎に、左右幅方向に延びる袋部が設けられている。各袋部は、カーテン部本体と同素材とされ、シート材の幅長と略同等の長さの長尺な丸パイプ状の桟部材がそれぞれ挿通されている。そして、このシートカーテンは、左右側縁部分及び桟部材の左右両端が、左右ガイドレールのガイド溝に挿入されている。この開閉体の構造によれば、桟部材を袋部内に挿入した状態でカーテン縁部をガイドレール内に挿入し昇降移動させるので、各桟部材の剛性によって強風でもシートカーテンを大きく撓ませない利点がある。
【先行技術文献】
【特許文献】
【０００３】
【特許文献１】特公平７−９９０７２号公報
【特許文献２】特開２０００−２５７３５７号公報
【特許文献３】特開２００６−２２５９３６号公報
【特許文献４】特開２０１１−２５２３２５号公報
【発明の概要】
【発明が解決しようとする課題】
【０００４】
しかしながら、従来のシートカーテンの構造は、シート素材で袋部をつくり、この中にパイプを通していた。このため、ガイドレールと、パイプが入っている袋部とが接触し、長期間の使用によっては、パイプによりシートカーテンよりも膨らんだ袋部の素材であるシート素材が破損する場合がある。これによって、シートカーテン全体の交換が必要になる。また、シートカーテンは、破損に至る前であっても、袋部とガイドレールの接触部分が常に摺接状態であることで、汚損や摩耗痕等が発生しやすく、見栄えを悪くし、意匠性が低下する虞があった。
【０００５】
本発明は上記状況に鑑みてなされたもので、その目的は、シートカーテンの耐久性を向上させるシャッターカーテンの構造を提供することにある。
【課題を解決するための手段】
【０００６】
次に、上記の課題を解決するための手段を、実施の形態に対応する図面を参照して説明する。
本発明の請求項１記載のシャッターカーテンの構造は、建物壁面に設けられた開口部２１を開閉するシャッターカーテン１１と、
前記シャッターカーテン１１の開閉方向に延在し前記開閉方向に沿う両側のカーテン縁部３１を内方に配置して前記開口部２１の対向する開口内縁に固定され前記シャッターカーテン１１の開閉を案内する断面コ字状の一対のガイドレール１５と、
前記ガイドレール１５の長手方向に直交する方向に延在する帯材からなり前記シャッターカーテン１１の面から延出して両側の前記カーテン縁部３１に渡って設けられる帯状の翼部１７と、
前記ガイドレール１５の延在方向に直交する方向の前記翼部１７の延出先端縁部３７に設けられる係止突条部３９と、
前記係止突条部３９と係合する係合溝部４３が軸線方向に形成され前記係止突条部３９を前記係合溝部４３に挿入することで前記翼部１７に両側の前記カーテン縁部３１に渡って取り付けられる杆状部材１９と、
を具備することを特徴とする。
【０００７】
このシャッターカーテンの構造では、シャッターカーテン１１の面に、両側のカーテン縁部３１に渡って帯状の翼部１７が設けられる。翼部１７は、一つ以上、シャッターカーテン１１の開閉方向に、所定間隔で複数設けられても勿論よい。翼部１７の延出先端縁部３７に設けられた係止突条部３９には、杆状部材１９が取り付けられる。杆状部材１９は、シャッターカーテン１１の両側のカーテン縁部３１に渡って延在する。つまり、杆状部材１９は、両端部がガイドレール１５に挿入されてシャッターカーテン１１とともに、ガイドレール１５内を摺動する。杆状部材１９は、従来の袋部によって覆われないので、ガイドレール１５内において、接触することでの汚損や破損を避けることができる。杆状部材１９は、カーテン縁部３１とともに断面コ字状のガイドレール１５内に挿入される。杆状部材１９の取り付けられたシャッターカーテン１１の面からは、ガイドレール１５に、杆状部材１９の直径分の隙間が、カーテン縁部３１から離間して形成される。つまり、ガイドレール内に挿入された杆状部材１９の外周面は、視認が可能となる。杆状部材１９は、従来の袋部に覆われていた場合、この視認部分４５で、破損した袋部が目についていた。これに対し、本構成の杆状部材１９は、このような視認部分４５で、すっきりとした綺麗な外観を長期間に渡って保つことが可能となる。
【０００８】
本発明の請求項２記載のシャッターカーテンの構造は、請求項１記載のシャッターカーテンの構造であって、
前記翼部が前記帯材を二重に重ねた二重翼部５３となって、前記二重翼部５３の前記延出先端縁部３７に前記係止突条部３９が設けられることを特徴とする。
【０００９】
このシャッターカーテンの構造では、翼部が二重の帯材からなることで、シャッターカーテン１１の開方向，閉方向と同じ両方向に延びる固定部分（固定基端縁部３５）を有することとなり、翼部５３の強度や剛性が高まる。また、杆状部材１９との固定強度も高めることができるようになる。
【００１０】
本発明の請求項３記載のシャッターカーテンの構造は、請求項１または２記載のシャッターカーテンの構造であって、
前記係止突条部が、務歯列３９よりなることを特徴とする。
【００１１】
このシャッターカーテンの構造では、係止突条部として、複数の係合子４１、或いは螺旋形状の線状係合体によって構成されるファスナー構造の務歯列３９が適用可能となる。
【００１２】
本発明の請求項４記載のシャッターカーテンの構造は、請求項１記載のシャッターカーテンの構造であって、
前記翼部は、幅方向の略中央で半分に折り重ねられた折り曲げ部５７が前記延出先端縁部３７となる二重翼部５３で形成され、
前記係止突条部６９は、両側の前記カーテン縁部３１に渡って延在する芯材６７を、前記折り曲げ部５７の内側に配置して形成されることを特徴とする。
【００１３】
このシャッターカーテンの構造では、翼部５３が、幅方向の略中央で半分に折り重ねられることで袋状の二重翼部５３となる。この二重翼部５３には、棒状の芯材６７が通し入れられる。芯材６７は、二重翼部５３の折り曲げ部５７の内方に配置されることで、延出先端縁部３７に、両側のカーテン縁部３１に渡って連続し、折り曲げ部５７に覆われた膨出部分を形成する。この膨出部分が係止突条部６９となって、杆状部材１９の係合溝部４３に挿入されることになる。
【発明の効果】
【００１４】
本発明に係る請求項１記載のシャッターカーテンの構造によれば、シャッターカーテンとして、従来のような杆状部材を取り付けるための袋部が必要無く、杆状部材は翼部を介して取り付けられるため、ガイドレールと接触する部分は杆状部材であり、このことから耐久性が向上することとなる。
【００１５】
本発明に係る請求項２記載のシャッターカーテンの構造によれば、翼部が開閉方向と同じ両方向に延び固定されることから、取り付け基端部分での耐久性が向上するとともに、固定強度が高まり、シャッターカーテンの開閉時における杆状部材のブレ等が抑制される。
【００１６】
本発明に係る請求項３記載のシャッターカーテンの構造によれば、厚みの薄い翼部に、高強度の係止突条部としての務歯列を、容易に、且つ安価に連続形成できる。
【００１７】
本発明に係る請求項４記載のシャッターカーテンの構造によれば、袋状とした二重翼部の折り曲げ部である先端部分における内方に、芯材を通し入れるのみで、係止突条部を容易に構成できる。
【図面の簡単な説明】
【００１８】
【図１】本発明の実施形態に係るシャッターカーテンの構造の外観斜視図である。
【図２】図１に示したシャッターカーテンの構造の要部分解斜視図である。
【図３】図１のシャッターカーテンの構造における翼部に係合した杆状部材の軸線直交方向の断面図である。
【図４】杆状部材が中実構造で形成された変形例に係るシャッターカーテンの構造の要部断面図である。
【図５】（ａ）（ｂ）は二重翼部に係止突条部が設けられた変形例に係るシャッターカーテンの構造の要部断面図である。
【図６】係止突条部がビードである変形例に係るシャッターカーテンの構造の要部断面図である。
【図７】翼部の折り曲げ部に芯材が挿入された変形例に係るシャッターカーテンの構造の要部断面図である。
【発明を実施するための形態】
【００１９】
以下、本発明に係る実施形態を図面を参照して説明する。
図１は本発明の実施形態に係るシャッターカーテンの構造の外観斜視図、図２は図１に示したシャッターカーテンの構造の要部分解斜視図、図３は図１のシャッターカーテンの構造における翼部に係合した杆状部材の軸線直交方向の断面図である。
本実施形態に係るシャッターカーテンの構造は、シャッターカーテンとしてのシートカーテン１１を開閉するシャッター装置１３に適用する場合を例に説明する。また、シャッターカーテンの構造は、本実施形態において、開閉方向を上下方向としたシャッター装置１３として説明するが、シャッターカーテンの開閉方向が水平方向となる横引きシャッター装置に適用されるものであってもよい。
【００２０】
シャッターカーテンの構造は、シートカーテン１１と、ガイドレール１５と、翼部１７と、係止突条部３９と、杆状部材１９と、を主要な構成として有する。
【００２１】
開口部２１の上縁、所謂まぐさ部分には、シャッター装置１３のカーテン収納部２３が取り付けられる。カーテン収納部２３には、電動開閉機（図示略）により回転される巻取部材２５が、巻取軸を中心に正逆回転自在に収容される。カーテン収納部２３は、下面にカーテン出入口部を有する。開口部２１には、カーテン出入口部を挟んで、左右一対のガイドレール１５が垂直となって互いに平行に固定される。
【００２２】
シャッターカーテンは、上記のように、シートカーテン１１である。シートカーテン１１は、巻取部材２５に巻装され、カーテン両端縁が挟入空間に配置されることで一対のガイドレール１５に開閉移動が案内されて開口部２１を開閉する。
【００２３】
シートカーテン１１のシートカーテン本体２７は、布製のスクリーン、或いは塩化ビニールやウレタン等の軟性樹脂シート、さらには布スクリーンを樹脂やゴムまたはゴム状物質で被覆して形成されたシート等を用いることができる。また、防火や防煙等の防災目的に使用する場合には、例えば、シリカクロスまたはガラスクロス、或いはこれらに難燃，耐火被覆材としての耐火塗料や防水被覆材を吹き付け若しくは塗布しまたは含浸させたもの等を好適に用いることができる。さらに、シートカーテン本体２７は、ワイヤーメッシュ等の補強用の金属或いは樹脂線材等と組み合わされたものであってもよい。また、シートカーテン本体２７は、一般的には不透明なものが多く用いられるが、採光性や透視性を備えさせるために、透光性を有する窓を適宜設けたり、透光性を有する材質で形成したりするものでもよい。
【００２４】
シートカーテン１１は、風や開口部２１を挟む内外の気圧差によって煽られないようにするため、カーテン下端には、錘（図示略）が設けられる。例えば、パイプを入れる袋２９が固定され、開口幅に渡る錘となる金属パイプが入れられる。また、鉄球や砂などの入った袋２９を錘として使用することができる。この鉄球などの構成によれば、錘が当たっても形状が柔らかく変化し、衝撃吸収となり、また、錘形状に自由度も付与できる。なお、錘の最大径は、後述する一つの杆状部材１９のそれよりも太い大径とされ、重量は大きいことが好ましい。
【００２５】
ガイドレール１５は、シートカーテン１１の開閉方向に延在する。ガイドレール１５は、シートカーテン１１の開閉方向に沿うカーテン縁部３１を内方に配置して開口部２１の対向する開口内縁に固定される。ガイドレール１５は、シートカーテン１１の開閉方向に直交する断面形状が、一対のコ字状開口片部３３によって、断面コ字状に形成される。ガイドレール１５は、開閉方向に沿う両側のカーテン縁部３１を内方に配置して、シートカーテン１１の開閉を案内する。
【００２６】
翼部１７は、ガイドレール１５の長手方向に直交する方向である左右水平方向に延在する帯材からなる。翼部１７は、シートカーテン本体２７の表裏何れかの面から延出して、左右両側のカーテン縁部３１に渡って設けられる。翼部１７は、シートカーテン１１の昇降方向である上下方向に、所定間隔ごとに設けられる。翼部１７は、シートカーテン１１と同一の上記の材料より形成することができる。翼部１７は、ガイドレール１５の延在方向に直交する方向の一対の平行な長辺部のうち、一方が固定基端縁部３５、他方が延出先端縁部３７となる。翼部１７は、固定基端縁部３５がシートカーテン１１の面に固定される。
【００２７】
係止突条部３９は、ガイドレール１５の延在方向に直交する方向の翼部１７の延出先端縁部３７に設けられる。この係止突条部３９は、翼部１７の厚さ寸法に対して表裏方向で十分に厚い寸法として設定される。また、この係止突条縁部３９は、好ましくは、翼部１７の延出先端縁部３７に連続して条状に設けられるが、間欠的に設けられることとしてもよい。
上記した十分に厚い寸法の意味としては、係合溝部４３を翼部１７に嵌めたり係合したりしようとしても翼部１７から容易に離脱してしまうが、係合溝部４３に係止突条部３９を端から挿入すると、係合溝部４３すなわち杆状部材１９が、係止突条部３９が有する翼部１７よりも厚い寸法の厚みにより、係止突条部３９に対して、従って、翼部１７及びシートカーテン１１に対して離脱が規制されて取り付けられるということである。
【００２８】
本実施形態において、係止突条部は、例えば図２に示すファスナーの務歯列３９よりなる。ファスナーの務歯列３９は、複数の係合子４１、或いは螺旋形状の線状係合体によって構成される。
【００２９】
本実施形態において、翼部１７と係止突条部３９とは、テープ部に務歯列３９を備えた市販のファスナーそのものを使用することとしてもよい。つまり、ファスナーのテープ部が、翼部１７となり務歯列が係止突条部３９となる。翼部１７の固着は、接着剤による接着や、シートカーテン本体２７への縫着、加熱や高周波などでの溶着、或いはこれらを組み合わせた方法によって行うことができ、シートカーテン本体２７の面に、ヒレ状に配設されることとなる。
【００３０】
杆状部材１９は、例えば円柱形状に形成される。杆状部材１９は、係止突条部である務歯列３９と係合する係合溝部４３が軸線方向に形成される。係合溝部４３は、例えば断面Ω状に形成される奥拡がり形状の所謂蟻溝状である。杆状部材１９は、この係合溝部４３に、翼部１７の務歯列３９を挿入することで、両側のカーテン縁部３１に渡って翼部１７に取り付けられる。杆状部材１９は、布等の柔軟な部材の袋では覆われておらず、特に後述するガイドレール１５に挿入される部分となる両端部については覆われておらず、杆状部材１９の少なくとも表面は硬質の材質で形成されている。すなわち、布やシート、好ましくはシートカーテン本体２７を構成するシートよりも硬質であって、摩擦や破損に対して耐性のある硬質材料で形成されている。具体的には、アルミパイプ、スチールパイプ、ステンレスパイプ、樹脂パイプ等とすることができる。また、杆状部材１９は、外表面が塗装されてもよい。すなわち、杆状部材１９の表面は、素材の地のままや、塗膜、塗装、被覆、コーティング、被着、などの処理がなされてもよい。これにより、シートカーテン１１に、同じ色、異なる色等のデザイン性を加えることができる。なお、杆状部材１９の断面形状は、上記及び図示した円形に限定されず、三角形、四角形、五角形、六角形、八角形などの多角形や、楕円形、長円形等とすることができる。
【００３１】
次に、上記した構成の作用を説明する。
本実施形態に係るシャッターカーテンの構造では、シートカーテン１１の面に、左右両側のカーテン縁部３１に渡って帯状の翼部１７が設けられる。翼部１７は、一つ以上、シートカーテン１１の開閉方向に、所定間隔で複数設けられても勿論よい。
【００３２】
翼部１７の延出先端縁部３７に設けられた務歯列３９には、杆状部材１９が取り付けられる。杆状部材１９は、係合溝部４３に、翼部１７の務歯列３９を端から挿入することで、翼部１７に対し、すなわちシートカーテン１１に対して離脱が規制されて取り付けられる。杆状部材１９は、シートカーテン１１の両側のカーテン縁部３１に渡って延在する。つまり、杆状部材１９は、シートカーテン１１に取り付けられた状態で、両端部がガイドレール１５に挿入されて、シートカーテン１１とともに、ガイドレール１５内を摺動する。なお、シートカーテン１１の下端に設けられる金属パイプや鉄球などが入った袋２９である錘は、杆状部材１９と同様に、ガイドレール１５内に呑み込まれていてもよいし、ガイドレール１５内に呑み込まれていなくてもよい。
【００３３】
従来、シートカーテン１１の交換は、杆状部材ごと全交換されていたが、杆状部材１９の脱着が容易になったことで、シートカーテン本体２７のみの交換が可能となる。すなわち杆状部材１９を簡単な脱着作業で再度利用することが可能となる。また、杆状部材１９が外力により変形、例えば曲がるなどした際に、杆状部材１９のみを脱着して容易に交換することができる。これにより、シートカーテン本体２７よりも安価な杆状部材１９のみの交換が可能となる。
【００３４】
杆状部材１９は、従来の袋部によって覆われないので、ガイドレール１５内において、この袋部が摺接（こすれ）によって汚れたり破れることがない。本構成では、杆状部材１９は、カーテン縁部３１とともに断面コ字状のガイドレール１５内に挿入される。杆状部材１９の取り付けられたシートカーテン１１の面からは、ガイドレール１５に、杆状部材１９の直径分の隙間が、カーテン縁部３１から離間して形成される。つまり、ガイドレール内に挿入された杆状部材１９の外周面は、視認が可能となる。杆状部材１９は、従来の袋部に覆われていた場合、この視認部分４５で、摩擦による汚損や摩耗による破損した袋部が目につく。これに対し、本構成の杆状部材１９は、このような視認部分４５で、汚れの無いすっきりとした綺麗な外観を長期間に渡って保つことが可能となる。
【００３５】
このシャッターカーテンの構造では、係止突条部として、ファスナーの複数の係合子４１、或いは螺旋形状の線状係合体によって構成される務歯列３９が適用可能となる。その結果、厚みの薄い翼部１７に、高強度の係止突条部３９を、容易且つ安価に連続形成できる。
【００３６】
次に、上記実施形態の変形例を説明する。
図４は杆状部材が中実構造で形成された変形例に係るシャッターカーテンの構造の要部断面図である。
この変形例に係るシャッターカーテンの構造は、シートカーテン４７の杆状部材４９が中実の部材、すなわち丸棒状の部材によって形成される。シートカーテン４７は、一部がこの中実の杆状部材４９であってもよい。すなわち、シートカーテン４７は、パイプ状の杆状部材１９と中実の杆状部材４９とが混用（例えば交互に使用）されてもよい。
このシャッターカーテンの構造によれば、杆状部材４９の強度を高めることができる。また、杆状部材４９の重量を大きくして、開閉動作時の安定性の向上、風圧等による揺れや振動の抑制の向上を図ることができる。
【００３７】
図５は（ａ）（ｂ）は二重翼部に係止突条部が設けられた変形例に係るシャッターカーテンの構造の要部断面図である。
この変形例に係るシャッターカーテンの構造は、シートカーテン５１の翼部が、帯材の一部を二重に重ねた二重翼部５３となる。二重翼部５３は、延出先端縁部３７に、係止突条部３９が設けられる。ここでの係止突条部は、上記実施形態と同様に務歯列３９とすることができる。
【００３８】
シートカーテン５１の二重翼部５３は、図５（ａ）に示すように、別体の二枚の帯材を、延出先端縁部３７で貼り合わせ一体化することで得られる。
また、図５（ｂ）に示すように、シートカーテン５５の二重翼部５３は、幅方向の略中央で半分に折り重ねられた折り曲げ部５７が延出先端縁部３７となる二重翼部５３であってもよい。この場合の二重翼部５３は、折り曲げ部５７に、務歯列３９のテープ部４０が固着される。このシートカーテン５５は、務歯列３９とテープ部４０とが一体となった市販品のファスナー等を用いることで、別部材としての翼部部分が不要となり、部品点数を削減することができる。なお、図５（ｂ）に示す折り曲げ部５７を有する構造において、図５（ａ）に示す例と同様に、折り曲げ部５７よりなる延出先端縁３７に務歯列３９が設けられる構造としてもよい。
【００３９】
二重翼部５３は、対となって延設されているそれぞれの翼部の固定基端縁部３５がシートカーテン本体２７に固着される。この場合、一対の固定基端縁部３５のそれぞれは、シートカーテン５１，５５の進退方向すなわち開閉方向と同じ方向である上下方向に延ばして固定される。
【００４０】
このシートシャッターの構造では、翼部が二重の帯材からなることで、翼部の剛性、強度を高めることができる。また、杆状部材１９との固定強度も高めることができるようになる。その結果、杆状部材１９との取り付け基端部分での耐久性が向上するとともに、開閉時におけるシートカーテン５１，５５のブレ等が抑制される。
【００４１】
また、シートカーテン５１，５５の開閉時である昇降の際に杆状部材１９が連れられて揺動するが、固定基端縁部３５が２つあることで、杆状部材１９とシートカーテン５１，５５と固定基端縁部３５との固定部分での負荷が分散される。シートカーテン５１，５５の昇降（開閉）動作時に、その開閉方向への杆状部材１９の追従性が良好となり、翼部が１つの構成に比べて杆状部材１９が開閉に伴って不安定に振れず、昇降動作でのガイドレール１５との摩擦で動作方向と反対の方向に動き、固定基端縁部３５を剥がすような負荷がかかることも抑制されて、脱落するなどの不具合の虞が減少する。このことから、二重翼部５３とシートカーテン本体２７、二重翼部５３と杆状部材１９のそれぞれの取り付け部分での耐久性が向上し、開閉時におけるシートカーテン５１，５５の動作安定性を得ることができる。
【００４２】
図６は係止突条部がビードである変形例に係るシャッターカーテンの構造の要部断面図である。
この変形例に係るシャッターカーテンの構造は、係止突条部が、上記した務歯列を備えるファスナーではなく、縁部が断面円形状の膨出部、所謂ビード５９で構成される。ビード５９は、樹脂製の翼部６１の長手方向に沿う一方の延出先端縁部３７に膨出状に一体成形して設けることができる。ビード５９は、上記の二重翼部５３に設けられてもよい。
このシャッターカーテンの構造によれば、シートカーテン本体２７，翼部６１，ビード５９を全て同素材で構成されるシートカーテン７１とすることも可能である。また、このシャッターカーテンの構造によれば、杆状部材６３の係合溝部４３を自在に設計し、この係合溝部４３に応じたビード５９を適用できるので、例えば互いの形状の組み合せ等から互いの取り付け強度や、翼部６１の厚さや長さや可撓性等を自在に設定することができる。
【００４３】
図７は翼部の折り曲げ部に芯材が挿入された変形例に係るシャッターカーテンの構造の要部断面図である。
この変形例に係るシャッターカーテンの構造は、シートカーテン６５の翼部が二重翼部５３となる。二重翼部５３は、上記と同様、幅方向の略中央で半分に折り重ねられた折り曲げ部５７が延出先端縁部３７となる。二重翼部５３の係止突条部６９は、両側のカーテン縁部３１に渡って延在する細径の芯材６７を、折り曲げ部５７の内側に配置して形成される。
【００４４】
このシャッターカーテンの構造では、翼部が、幅方向の略中央で半分に折り重ねられることで袋状部分を形成可能な二重翼部５３となる。この二重翼部５３には、棒状の芯材６７が通し入れられる。芯材６７は、二重翼部５３の内方の折り曲げ部５７に配置されることで、延出先端縁部３７に、両側のカーテン縁部３１に渡って連続し、折り曲げ部５７に覆われた膨出部分を形成する。この膨出部分が係止突条部６９となって、杆状部材１９の係合溝部４３に挿入されることになる。その結果、袋状とした翼部５３の内方に、芯材６７を通し入れるのみで、係止突条部６９を容易に構成できる。また、芯材６７を抜き去ることで、係止突条部６９としての形状がなくなり、互いの係合状態が解除されるので、二重翼部５３からの杆状部材１９を容易に取り外すことが可能となる。
【００４５】
なお、杆状部材１９に物体等が当接した際の損傷を減少させたり、意匠性の向上を図るために、杆状部材１９を、例えば布やシートカーテン本体２７を構成するシート等の柔軟性部材で覆う構成としてもよい。
このような構成においては、杆状部材１９がガイドレール１５に挿入される両端部について、柔軟性部材を設けなくてもよいのであれば、本発明をそのまま適用することができる。この杆状部材１９を柔軟性部材で覆う方法としては、係止突条部３９に係合溝部４３を取り付ける際に柔軟性部材が邪魔になるのを避けるために、係合溝部４３の部分を除いて杆状部材１９を柔軟性部材で覆うようにすればよく、すなわち略Ｃ字状など一部が切除されたような形状で杆状部材１９の外表面を覆うように構成されればよく、または、袋状或いは筒状に形成される柔軟性部材を係合溝部４３の溝表面に沿って溝の奥側に入れればよく、前述のように、ガイドレール１５に挿入される部分を除いて杆状部材１９を柔軟性部材で覆うこととしても本発明を適用できる。
一方、仮にガイドレール１５に挿入される部分である両端部を含めて杆状部材１９を柔軟性部材で覆う場合については、上記したような構成をそのまま適用はできないが、杆状部材１９を、係止突条部３９、すなわち翼部１７及びシートカーテン１１に対して離脱が規制されて取り付けられる点についてはそのまま適用でき、このような構成とすれば杆状部材１９の着脱や交換については容易に行うことが可能である。すなわち、杆状部材１９の全長にわたっての損傷の減少や意匠性の向上を図ることが可能となる。
【００４６】
従って、本実施形態に係るシャッターカーテンの構造によれば、シートカーテン１１，４７，５１，５５，６５，７１の耐久性を向上させることができるとともに、意匠性を低下させる虞が減少する。
【符号の説明】
【００４７】
１１，４７，５１，５５，６５，７１…シャッターカーテン（シートカーテン）
１５…ガイドレール
１７…翼部
１９…杆状部材
２１…開口部
３１…カーテン縁部
３７…延出先端縁部
３９…係止突条部（務歯列）
４３…係合溝部
５３…二重翼部
５７…折り曲げ部
５９…係止突条部（ビード）
６１…翼部
６７…芯材
６９…係止突条部
【図１】
0006385807.tif 000002
【図２】
0006385807.tif 000003
【図３】
0006385807.tif 000004
【図４】
0006385807.tif 000005
【図５】
0006385807.tif 000006
【図６】
0006385807.tif 000007
【図７】
0006385807.tif 000008